(57)【要約】【課題】構造が単純な施錠構造を提供することを目的とする。【解決手段】本考案の施錠構造４０は、開口１０ａを有する容器本体１０と開口１０ａを開閉自在な扉２０とを有する箱状容器１００の施錠構造４０であって、扉２０に設けられ、容器本体１０に対して係合する施錠状態と容器本体１０に対して係合しない開錠状態との間で揺動する揺動錠４１と、揺動錠４１の揺動を規制する規制位置と揺動錠４１の揺動を規制しない規制解除位置との間で往復移動自在なプッシュロック４２と、を備え、プッシュロック４２は、揺動錠４１が施錠状態の場合は、規制解除位置から規制位置に移動可能であり、揺動錠４１が開錠状態の場合は、規制解除位置から規制位置に移動不能であり、規制位置に移動すると、規制位置から規制解除位置に移動不能となるロック状態となる。【選択図】図１
0003211417.tif 000002
【実用新案登録請求の範囲】
【請求項１】
開口を有する容器本体と前記開口を開閉自在な扉とを有する箱状容器の施錠構造であって、
前記扉に設けられ、前記容器本体に対して係合する施錠状態と前記容器本体に対して係合しない開錠状態との間で揺動する揺動錠と、
前記揺動錠の揺動を規制する規制位置と前記揺動錠の揺動を規制しない規制解除位置との間で往復移動自在なプッシュロックと、を備え、
前記プッシュロックは、
前記揺動錠が施錠状態の場合は、前記規制解除位置から前記規制位置に移動可能であり、前記揺動錠が開錠状態の場合は、前記規制解除位置から前記規制位置に移動不能であり、
前記規制位置に移動すると、前記規制位置から前記規制解除位置に移動不能となるロック状態となる
ことを特徴とする施錠構造。
【請求項２】
前記ロック状態は鍵で解除可能である
ことを特徴とする請求項１に記載の施錠構造。
【請求項３】
前記扉は覗き窓を備え、
前記揺動錠は、
前記施錠状態において覗き窓に対応する位置に、前記揺動錠が施錠状態であることを視認可能にするための第１着色部を有し、
前記開錠状態において覗き窓に対応する位置に、前記第１着色部とは異なる第２着色部を有する
ことを特徴とする請求項１又は請求項２に記載の施錠構造。
【考案の詳細な説明】
【技術分野】
【０００１】
本考案は、宅配ボックスの施錠構造に関するものである。
【背景技術】
【０００２】
従来、宅配物を収納した状態で閉扉されると扉を自動的に施錠し、暗証番号の入力によって自動的に開錠して開扉可能な宅配ボックスの施錠構造がある。（特許文献１参照）。
【先行技術文献】
【特許文献】
【０００３】
【特許文献１】実開平４−１０２２９５号公報
【考案の概要】
【考案が解決しようとする課題】
【０００４】
しかしながら、特許文献１に記載された施錠構造は、扉を自動的に施錠及び開錠する装置や、操作パネルなどの特殊な機構や電装品を要するので、構造が複雑となり、配置スペースや製作コストに改良の余地があった。
本考案は、上記事情に鑑みてなされたものであり、構造が単純な施錠構造を提供することを目的とする。
【課題を解決するための手段】
【０００５】
上記目的を達成するために、本考案は以下の構成によって把握される。
（１）本考案の施錠構造は、開口を有する容器本体と前記開口を開閉自在な扉とを有する箱状容器の施錠構造であって、前記扉に設けられ、前記容器本体に対して係合する施錠状態と前記容器本体に対して係合しない開錠状態との間で揺動する揺動錠と、前記揺動錠の揺動を規制する規制位置と前記揺動錠の揺動を規制しない規制解除位置との間で往復移動自在なプッシュロックと、を備え、前記プッシュロックは、前記揺動錠が施錠状態の場合は、前記規制解除位置から前記規制位置に移動可能であり、前記揺動錠が開錠状態の場合は、前記規制解除位置から前記規制位置に移動不能であり、前記規制位置に移動すると、前記規制位置から前記規制解除位置に移動不能となるロック状態となる。
（２）上記（１）の構成において、前記ロック状態は鍵で解除可能である。
（３）上記（１）又は（２）の構成において、前記扉は覗き窓を備え、前記揺動錠は、前記施錠状態において覗き窓に対応する位置に、前記揺動錠が施錠状態であることを視認可能にするための第１着色部を有し、前記開錠状態において覗き窓に対応する位置に、前記第１着色部とは異なる第２着色部を有する。
【考案の効果】
【０００６】
本考案によれば、構造が単純な施錠構造を提供できる。
【図面の簡単な説明】
【０００７】
【図１】（ａ）は、扉が閉まった状態で施錠されていない状態における箱状容器を示す斜視図であり、（ｂ）は、扉が開いた状態における箱状容器を示す斜視図である。
【図２】（ａ）は開錠状態における施錠構造を正面から見た詳細図であり、（ｂ）は施錠状態における施錠構造を正面から見た詳細図である。
【図３】（ａ）は開錠状態における施錠構造を上方から見た詳細図であり、（ｂ）は施錠状態における施錠構造を上方から見た詳細図である。
【図４】（ａ）は開錠状態における施錠構造を裏側から見た詳細図であり、（ｂ）は施錠状態における施錠構造を裏側から見た詳細図である。
【０００８】
（実施形態）
以下、図面を参照して本考案を実施するための形態（以下、実施形態）について詳細に説明する。なお、実施形態の説明の全体を通して同じ要素には同じ符号を付している。
【０００９】
図１（ａ）は、扉２０が閉まった状態で施錠されていない状態における箱状容器１００を示す斜視図である。図１（ｂ）は、扉２０が開いた状態における箱状容器１００を示す斜視図である。図２（ａ）は開錠状態における施錠構造４０を正面から見た詳細図である。図２（ｂ）は施錠状態における施錠構造４０を正面から見た詳細図である。図３（ａ）は開錠状態における施錠構造４０を上方から見た詳細図である。図３（ｂ）は施錠状態における施錠構造４０を上方から見た詳細図である。図４（ａ）は開錠状態における施錠構造４０を裏側から見た詳細図である。図４（ｂ）は施錠状態における施錠構造４０を裏側から見た詳細図である。
【００１０】
図１に示すように、箱状容器１００は、開口１０ａを有する容器本体１０と開口１０ａを開閉自在な扉２０と、施錠構造４０と、を備える。
【００１１】
箱状容器１００は、宅配物を収容できる容積を有し、立方体形状となっている、いわゆる宅配ボックスである。
【００１２】
扉２０は、開口１０ａの一部に設けられたヒンジ３０を介して、容器本体１０に対して、扉２０が開いた状態である開状態（図１（ｂ）参照）と扉２０が閉まった状態である閉状態（図１（ａ）参照）との間で、回動自在に設けられている。扉２０の大きさは、開口１０ａに対応して開口１０ａよりやや小さくなっている。
【００１３】
扉２０は、後述の第１着色部４１１及び第２着色部４１２と対応する位置に、覗き窓２１を備える。
そして、後述の揺動錠４１は、施錠状態において覗き窓２１に対応する位置に、揺動錠４１が施錠状態であることを視認可能にするための第１着色部４１１を有し、開錠状態において覗き窓２１に対応する位置に、第１着色部４１１とは異なる第２着色部４１２を有する。よって、箱状容器１００の外部から見ても、覗き窓２１から第１着色部４１１又は第２着色部４１２が見えるので、箱状容器１００が施錠状態であるか開錠状態であるかが解り、わざわざ扉２０に手を掛けて確かめる必要がなく、利便性が高い。
【００１４】
施錠構造４０は、扉２０に対して揺動自在に設けられる揺動錠４１と、プッシュロック４２と、を備える。
【００１５】
揺動錠４１は、揺動軸Ｙを中心として、容器本体１０に対して係合する施錠状態（図２（ｂ）、図３（ｂ）、図４（ｂ）参照）と容器本体１０に対して係合しない開錠状態（図２（ａ）、図３（ａ）、図４（ａ）参照）との間で揺動する。また、揺動錠４１は、扉２０の表側に突出するように設けられたつまみ４３（サムターン）と一体となって揺動する。
【００１６】
揺動錠４１は、全体が略半円形状であり、一端に、容器本体１０の係合部１０Ｌに対して係合するロック部４１Ａを有し、他端に、プッシュロック４２と係合する切欠部４１Ｂを有する。なお、図２においては、揺動錠４１は、施錠状態から開錠状態まで略９０°揺動する場合で説明したが、施錠状態から開錠状態まで１８０°揺動するようにしてもよい。
【００１７】
また、揺動錠４１は、揺動軸Ｙを中心とする同心円上の離れた位置に、第１着色部４１１及び第１着色部４１１とは異なる第２着色部４１２を有する。例えば、第１着色部４１１は青色とし、第２着色部４１２は赤色とする。同心円の半径は、揺動軸Ｙと覗き窓２１との距離と同等である。よって、揺動錠４１が開錠状態である場合、図２（ａ）に示すように、覗き窓２１から第２着色部４１２が視認でき、揺動錠４１が施錠状態である場合、図２（ｂ）に示すように、覗き窓２１から第１着色部４１１が視認できる。なお、第１着色部４１１と第２着色部４１２は、視認される状態が異なれば、色でなくてもよく、文字、サイン、アイコン及び照度等を異ならせてもよい。
【００１８】
プッシュロック４２は、扉２０に対して、揺動錠４１の揺動を規制する規制位置（図３（ｂ）参照）と揺動錠４１の揺動を規制しない規制解除位置（図３（ａ））との間で往復移動自在に設けられる。
そして、プッシュロック４２は、揺動錠４１が施錠状態の場合は、揺動錠４１と干渉しないので、規制解除位置から規制位置に移動可能であり、揺動錠４１が開錠状態の場合は、揺動錠４１と干渉するので、規制解除位置から規制位置に移動不能である。
【００１９】
また、プッシュロック４２は、規制位置に移動すると、規制位置から規制解除位置に移動不能となるロック状態となり、ロック状態は鍵（不図示）で解除可能な構造となっている。プッシュロック４２は、扉２０の表面から突出した状態である規制解除位置において、表側から裏側に向けて押圧力を受けると、扉２０の表面と略面一な状態である規制位置に向けて移動し、規制位置に至ると、規制解除位置から規制位置に移動不能なロック状態となる。
【００２０】
また、プッシュロック４２は、鍵穴を有しており、鍵穴に鍵を挿入した状態で鍵を回転させることにより、ロック状態が解除されると、内蔵されたばね（不図示）による不勢力により、規制位置から規制解除位置に移動する。すなわち、扉２０の表面から突出した状態（図３（ａ）参照）に戻る。
【００２１】
以下、箱状容器１００に宅配物を収容してから取り出すまでの手順に沿って、施錠構造４０を構成する各部の作用を説明する。
まず、図１（ａ）及び図１（ｂ）に示すように、箱状容器１００の施錠構造４０が開錠状態となっている状況を想定する。また、プッシュロック４２は、扉２０の表面から突出した状態である規制解除位置にある。扉２０に設けられた覗き窓２１からは、揺動錠４１に設けられた第２着色部４１２を視認できる状態となっている。
【００２２】
（１）宅配業者が宅配物の届け先である住人の居所に赴き、例えば、住人が不在であると解ると、宅配業者は、居所の近傍に設置された箱状容器１００の正面に行き、プッシュロック４２が扉２０の表面から突出していることを視認するか、又は、扉２０に設けられた覗き窓２１から第２着色部４１２を視認して、箱状容器１００の施錠構造４０が開錠状態となっていることを認識する。そして、宅配業者は、扉２０を開け、容器本体１０の内部に宅配物を収容する。なお、施錠構造４０は開錠状態にあるので、プッシュロック４２の移動範囲に施錠構造４０の揺動錠４１が干渉し（図２（ａ）、図３（ａ）参照）、プッシュロック４２を規制位置に移動できないようになっている。
【００２３】
（２）次に、宅配業者は、扉２０を閉めて閉状態（図１（ａ）参照）とし、つまみ４３を左に９０°回して、施錠構造４０を開錠状態（図２（ａ）参照）から施錠状態（図２（ｂ）参照）にする。すると、揺動錠４１のロック部４１Ａが係合部１０Ｌ（図１（ｂ）参照）に係合し、揺動錠４１のそれ以上の揺動が規制されるとともに、容器本体１０に対する扉２０の回動が規制される。また、施錠状態において、扉２０に設けられた覗き窓２１からは、揺動錠４１に設けられた第１着色部４１１が視認できる状態となっている。この時点では、つまみ４３を元に戻す、すなわち、つまみ４３を右に９０°回せば、施錠構造４０を施錠状態から開錠状態にできる。なお、施錠構造４０が施錠状態にある場合、プッシュロック４２の移動範囲に施錠構造４０の揺動錠４１が干渉しないようになる（図２（ｂ）参照）ので、プッシュロック４２を規制位置に移動できるようになっている。
【００２４】
（３）ここで、宅配業者は、プッシュロック４２を扉２０の表側から裏側に向けて押し込み、プッシュロック４２を規制解除位置（図３（ａ）参照）から規制位置（図３（ｂ）参照）に移動する。すると、プッシュロック４２は規制位置でロック状態となるとともに、プッシュロック４２が揺動錠４１の揺動（図２（ｂ）における右回りの回転）を規制するようになるので、施錠構造４０の施錠状態が維持される。
【００２５】
（４）住人は、箱状容器１００の正面に行き、扉２０に設けられた覗き窓２１から第１着色部４１１を視認して、箱状容器１００の施錠構造４０が施錠状態となっていることを認識する。そして、箱状容器１００の内部に収容された宅配物を取り出すために、プッシュロック４２の鍵穴に、住人が所有する鍵を差し込んで回転し、プッシュロック４２のロック状態を解除する。すると、プッシュロック４２に内蔵されたばねの不勢力により、プッシュロック４２が規制解除位置に移動し、扉２０の表面から突出する。プッシュロック４２が規制解除位置に移動したので、揺動錠４１が揺動自在となる。
【００２６】
（５）住人は、つまみ４３を右に９０°回転させて、施錠構造４０を施錠状態から開錠状態にする。そして、住人は、扉２０を閉状態から開状態にして、容器本体１０の内部に収容された宅配物を取り出す。
このように、本考案の施錠構造４０によれば、箱状容器１００を、簡単に施錠でき、簡単に開錠できるので、宅配業者と住人の双方にとって利便性が高い。
【００２７】
以上、本考案の好ましい実施形態について詳述したが、本考案に係る箱状容器１００は上述した実施形態に限定されるものではなく、実用新案登録請求の範囲に記載された本考案の要旨の範囲内において、種々の変形、変化が可能である。
【００２８】
本考案の施錠構造４０によれば、扉２０に設けられ、容器本体１０に対して係合する施錠状態と容器本体１０に対して係合しない開錠状態との間で揺動する揺動錠４１と、揺動錠４１の揺動を規制する規制位置と揺動錠４１の揺動を規制しない規制解除位置との間で往復移動自在なプッシュロック４２と、を備え、プッシュロック４２は、揺動錠４１が施錠状態の場合は、規制解除位置から前記規制位置に移動可能であり、揺動錠４１が開錠状態の場合は、規制解除位置から規制位置に移動不能であり、規制位置に移動すると、規制位置から規制解除位置に移動不能となるロック状態となるので、特殊な機構や電装品を要することなく、構造が単純な施錠構造４０を提供できる。
【符号の説明】
【００２９】
１０    容器本体
１０ａ  開口
１０Ｌ  係合部
２０    扉
２１    窓
３０    ヒンジ
４０    施錠構造
４１    揺動錠
４１Ａ  ロック部
４１Ｂ  切欠部
４２    プッシュロック
４３    つまみ
１００  箱状容器
４１１  第１着色部
４１２  第２着色部
Ｙ      揺動軸
【図１】
0003211417.tif 000003
【図２】
0003211417.tif 000004
【図３】
0003211417.tif 000005
【図４】
0003211417.tif 000006
【手続補正書】
【提出日】平成29年5月18日(2017.5.18)
【手続補正１】
【補正対象書類名】実用新案登録請求の範囲
【補正対象項目名】全文
【補正方法】変更
【補正の内容】
【実用新案登録請求の範囲】
【請求項１】
開口を有する容器本体と前記開口を開閉自在な扉とを有する箱状容器の施錠構造であって、
前記扉に設けられ、前記容器本体に対して係合する施錠状態と前記容器本体に対して係合しない開錠状態との間で揺動する揺動錠と、
前記揺動錠の揺動を規制する規制位置と前記揺動錠の揺動を規制しない規制解除位置との間で往復移動自在なプッシュロックと、を備え、
前記プッシュロックは、前記規制位置に移動すると、ロック状態となる
ことを特徴とする施錠構造。
【請求項２】
前記ロック状態は鍵で解除可能である
ことを特徴とする請求項１に記載の施錠構造。
【請求項３】
前記扉は覗き窓を備え、
前記揺動錠は、
前記施錠状態において覗き窓に対応する位置に、前記揺動錠が施錠状態であることを視認可能にするための第１着色部を有し、
前記開錠状態において覗き窓に対応する位置に、前記第１着色部とは異なる第２着色部を有する
ことを特徴とする請求項１又は請求項２に記載の施錠構造。